(57)【要約】【課題】従来の光ファイバによる放送配信においては、各放送局に割り当てられたチャンネルに対して所望の帯域を保証した放送信号を配信するための手段は存在しなかった。そこで、本発明は、各チャンネルに対して所望の帯域を保証し、さらに、受信側からの受信要求も不要とした放送信号の配信を目的とする。【解決手段】上記課題を解決するため、本発明は、光ファイバによる放送配信において、放送局ごとに所定数のサブフレーム１−１、１−２、・・・ｋ−Ｎを割り当て、該サブフレームを全放送局分１行のフレーム内に時間的に多重化したフレーム構成とすることを特徴とする。チャンネルごとに割り当てるサブフレームの数を変えることにより、チャンネルごとに所望の帯域を保証することができる。【選択図】図１
2009071705.tif 000002
【特許請求の範囲】
【請求項１】
複数のチャンネルの放送信号を非同期のパケット網上に配信する伝送フレームフォーマットであって、
予め定められた容量の伝送フレームが周期的に繰り返され、
前記伝送フレームがチャンネルの数よりも多いサブフレームを備え、
チャンネルに割り当てられる前記サブフレームの数が可変であることを特徴とする伝送フレームフォーマット。
【請求項２】
前記伝送フレームが、複数の固定長のサブフレームから構成されることを特徴とする請求項１に記載の伝送フレームフォーマット。
【請求項３】
前記放送信号が、前記伝送フレーム中の予め定められたサブフレームに格納されることを特徴とする請求項１又は２に記載の伝送フレームフォーマット。
【請求項４】
複数のチャンネルの放送信号を非同期のパケット網上に配信する伝送方法であって、
予め定められた容量の伝送フレームを周期的に繰り返し、
前記伝送フレームがチャンネルの数よりも多いサブフレームを備え、
チャンネルに割り当てられる前記サブフレームの数を可変とすることを特徴とする伝送方法。
【請求項５】
前記伝送フレームが、複数の固定長のサブフレームから構成されることを特徴とする請求項４に記載の伝送方法。
【請求項６】
前記放送信号が、前記伝送フレーム中の予め定められたサブフレームに格納されることを特徴とする請求項４又は５に記載の伝送方法。
【請求項７】
予め定められた容量のサブフレームを生成するサブフレーム生成部と、
複数のチャンネルの放送信号を入力する放送信号入力部と、
前記チャンネルごとに予め定められた個数の前記サブフレームを予め定められた順序で割り当てるチャンネル情報テーブルを格納するテーブル記憶部と、
前記放送信号入力部に入力された放送信号を、前記サブフレーム生成部の生成したサブフレームに、前記チャンネル情報テーブルに従って格納するサブフレーム多重部と、
を備えることを特徴とする多重装置。
【請求項８】
複数のチャンネルの放送信号が時間多重された伝送フレームを分離する分離装置であって、
前記伝送フレームは、
予め定められた容量の複数のサブフレームが時間多重され、
前記チャンネルごとに予め定められた個数の前記サブフレームが予め定められた順序で割り当てられており、
前記チャンネルごとに予め定められた個数の前記サブフレームを予め定められた順序で割り当てるチャンネル情報テーブルを格納するテーブル記憶部と、
特定のチャンネルを指定する制御信号が入力される制御信号入力部と、
前記伝送フレームが入力される伝送フレーム入力部と、
前記伝送フレーム入力部に入力された伝送フレームのフレームフォーマットを解析するフレーム解析部と、
前記制御信号入力部に入力された制御信号で指定されたチャンネルのサブフレームに格納されている放送信号を、前記フレーム解析部の解析結果に従って読み出すサブフレーム読出制御部と、
を備えることを特徴とする分離装置。
【請求項９】
前記放送信号は、タイムスロット間隔を示すタイムスロット情報を含み、
前記サブフレーム読出制御部の読み出した放送信号を前記タイムスロット情報に従って再構成するタイムスロット再構成部をさらに備えることを特徴とする請求項８に記載の分離装置。
【発明の詳細な説明】
【技術分野】
【０００１】
本発明は、ＦＴＴＨ（Ｆｉｂｅｒ−Ｔｏ−Ｔｈｅ−Ｈｏｍｅ）により放送信号を低コストで効率よく配信するためのＦＴＴＨ放送配信方式に関わる。特に、各放送局からの放送信号が時間領域で多重され、多重された放送信号がヘッドエンドの局側伝送装置から加入者宅の加入者側伝送装置との間で一方向、かつ、一対一もしくは一対多配信を行うためのＦＴＴＨ放送配信方式に関わる。
【背景技術】
【０００２】
従来、ＦＴＴＨによる放送信号の配信の方式は、大きく分けて光ファイバ中をＲＦ（Ｒａｄｉｏ  Ｆｒｅｑｕｅｎｃｙ）形式で配信する方式とＩＰ（Ｉｎｔｅｒｎｅｔ  Ｐｒｏｔｏｃｏｌ）パケット化して配信する方式とが知られている。ＲＦ形式で配信する方式には、電気段でＦＤＭ（Ｆｒｅｑｕｅｎｃｙ  Ｄｉｖｉｓｉｏｎ  Ｍｕｌｔｉｐｌｅｘｉｎｇ）多重された放送信号をＦＭ（Ｆｒｅｑｕｅｎｃｙ  Ｍｏｄｕｌａｔｉｏｎ）一括変換して光ファイバに配信する方式や（例えば、非特許文献１参照。）、電気段でＦＤＭ多重された放送信号をＩＭ（Ｉｎｔｅｎｓｉｔｙ  Ｍｏｄｕｌａｔｉｏｎ）変調により配信する方式がある（例えば、非特許文献２参照。）。
【０００３】
図７は、従来の放送信号の一例を示す模式図であり、（ａ）は地上波デジタル放送における周波数の配置を示し、（ｂ）は一搬送波における帯域を示す。電波放送の信号帯域は帯域制限の影響を受ける。例えば、地上波デジタル放送の場合、ＵＨＦ（Ｕｌｔｒａ  Ｈｉｇｈ  Ｆｒｅｑｕｅｎｃｙ）帯の電波を１キャリアあたり、５．５８ＭＨｚに制限している。これは電波の稀少性のためである。さらに、一つの放送局Ａ、Ｂ、Ｃは、日本放送協会などの特殊な放送機関を除いて一つのキャリアの使用しか許可されていない。
【０００４】
電波による地上波デジタル放送配信では、この５．５８ＭＨｚの帯域幅で配信しなくてはならないため、最大の情報レートは６４ＱＡＭ（Ｑｕａｄｒａｔｕｒｅ  Ａｍｐｌｉｔｕｄｅ  Ｍｏｄｕｌａｔｉｏｎ）変調をかけてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）多重する結果、２３．２３４Ｍｂｐｓ程度となる。従って情報量の多い映像信号等ではＭＰＥＧ（Ｍｏｔｉｏｎ  Ｐｉｃｔｕｒｅ  Ｅｘｐｅｒｔｓ  Ｇｒｏｕｐ）−２等の映像符号化方式により情報を圧縮することが必須である。
【０００５】
例えばＨＤ（Ｈｉｇｈ  Ｄｅｆｉｎｉｔｉｏｎ）ＴＶを１チャンネル（ｃｈ）送るためには、約１．５Ｇｂｐｓの非圧縮ＨＤ信号を約２０ＭｂｐｓまでＭＰＥＧ２圧縮しなくてはならない。なお、ＢＳ（Ｂｒｏａｄｃａｓｔｉｎｇ  Ｓａｔｅｌｌｉｔｅ）デジタル放送やＣＳ（Ｃｏｍｍｕｎｉｃａｔｉｏｎｓ  Ｓａｔｅｌｌｉｔｅ）デジタル放送では、地上波デジタル放送よりも割り当てられている帯域幅が大きい。例えば、ＢＳデジタル放送では、３４．５ＭＨｚであり、最大の情報レートはＱＰＳＫ（Ｑｕａｄｒａｔｕｒｅ  ＰｈａｓｅＳｈｉｆｔ  Ｋｅｙｉｎｇ）変調により５２．１７Ｍｂｐｓ程度である。しかしながら、ＨＤ信号はＭＰＥＧ−２圧縮により５２．１７Ｍｂｐｓよりも小さな情報レートに落とさなくてはならない。
【０００６】
これらの情報レート以上の広帯域な放送信号を送信しようとすると、変調速度を上げるか、より多値の変調等をしなくてはならない。しかし、変調速度の増大は帯域幅を増やすことになり、電波の稀少性から困難であり、またより多値変調することは受信回路が複雑になることや、許容ＣＮＲ（Ｃａｒｒｉｅｒ−ｔｏ−Ｎｏｉｓｅ  Ｒａｔｉｏ）の増大を招くこと等から困難である。従って、より高精細な映像や高音質な音声信号等の広帯域な放送信号を電波により配信することは実現されていない。
【０００７】
またＲＦ方式による光ファイバを使用した放送配信方式においては、電波放送の再配信を前提とした方式となっているため、より高精細な映像や高品質な音声信号等の広帯域な放送信号を配信する場合、電波による放送と同様の制限を受けるため、こちらも実現には至っていない。
【０００８】
一方、ＩＰパケット化して配信する方法は、完全に規格化された配信方式というものは決められておらず、サービス提供者が独自の方式で行うことが多い。共通しているのはネットワーク内のマルチキャストルータにより番組を選択する機構を用いている点である。
【０００９】
ＩＰパケット方式による配信に関しては、ＲＦ方式ではないため電波帯域制限のような問題は発生しないが、ネットワーク中のスイッチやルータでのスイッチングやルーティングのためパケット到達時間に揺らぎが生じたり遅延が発生したりする。
【００１０】
図８は、従来のＩＰ放送による配信形態を示す概略構成図である。ＩＰマルチキャスト技術を利用した放送配信では、各放送局の配信サーバ１１ａ、１１ｂ、１１ｃから放送コンテンツがマルチキャスト配信のネットワーク１０に転送される。例えば、放送局Ａの配信サーバ１１ａがパケット１０１−１、１０１−２、１０１−４を、放送局Ｂの配信サーバ１１ｂがパケット１０１−３、１０１−６を、放送局Ｃの配信サーバ１１ｃがパケット１０１−５、１０１−７を、ネットワーク１０に転送する。
【００１１】
図８に示すネットワーク１０内ではマルチキャストに対応した複数のマルチキャストルータ２１ａ、２１ｂが配備されている。マルチキャストルータ２１ａ及びマルチキャストルータ２１ｂはお互いにＰＩＭ−ＳＭ（Ｐｒｏｔｏｃｏｌ  Ｉｎｄｅｐｅｎｄｅｎｔ  Ｍｕｌｔｉｃａｓｔ−Ｓｐａｒｓｅ  Ｍｏｄｅ）やＰＩＭ−ＤＭ（Ｐｒｏｔｏｃｏｌ  Ｉｎｄｅｐｅｎｄｅｎｔ  Ｍｕｌｔｉｃａｓｔ−Ｄｅｎｓｅ  Ｍｏｄｅ）といったマルチキャストのランデブーポイント（中心的な役割を果たすルータ）を探すためのプロトコルに関するパケットを交換し合っていて、最良のマルチキャストポイントを探す。放送視聴者は端末装置１２からマルチキャストルータ２１ｂに視聴要求を送信し、マルチキャストルータ２１ｂで視聴したい番組を選択し、選択された放送信号が視聴者の端末に送られてくる。
【００１２】
さらに、パケット多重された各放送局Ａ、Ｂ、ＣからのＩＰパケットはネットワーク１０上ではランダムの位置関係で伝送される。これはネットワーク１０中のＩＰパケットをストア・アンド・フォワードする全てのスイッチやルータに入力されたＩＰパケットが規則正しい順序及び間隔で出力を保証するようなアルゴリズムを施さない限り、ランダムの位置関係となってしまうためである。このような状況のために端末装置１２内で容量の大きなバッファを設け、端末装置１２側でパケットの並べ替え等を行った後に、ＭＰＥＧ−２デコードシステムに転送するため、リアルタイム性が損なわれる場合が多い。
【００１３】
さらに、ＩＰパケット方式による配信では、放送信号をＩＰパケット化するため元の放送信号が非圧縮の放送信号でも圧縮された放送信号でも構わない。元の放送信号を高圧縮化し符号化レートを小さくする場合に比べて低圧縮で符号化レートが大きい場合、ＩＰパケット数が多くなる。このため転送に際し、ネットワーク中のリソースをたくさん使用することになる。従って、元の放送信号をあまり圧縮しないような符号化レートの場合においては、ある閾値を越えるとネットワークの輻輳を招くことがある。また視聴者が増えたり、視聴要求回数が増えたりするとその都度視聴のための処理が増大するため、この処理パケットにより上記と同様にネットワークの輻輳を招くことがある。
【００１４】
さらに、現在のＩＰマルチキャストを利用する放送配信では、低ビットレートでの配信を行うのがほとんどであり、またネットワークの輻輳によるパケットの揺らぎを吸収し再生機での映像や音声の再生をスムーズに行うため再生機において受信バッファを大量に搭載している場合が多い。この場合、受信バッファに大量のデータを蓄積することになるため、リアルタイム性が損なわれる。よってこの様な受信環境では、現在の電波による放送信号のようなリアルタイム性を伴う信号の配信には不向きである。
【００１５】
図９は、ＩＰを利用した放送配信を受信するときの流れの一例である。マルチキャストルータ２１と端末装置１２との間でやりとりされる信号の流れを示している。この例ではチャンネルの選択機構としてマルチキャストを利用している。端末装置１２は、ｃｈ１の番組を視聴するための参加要求信号Ｊｏｉｎ（ｃｈ１）をマルチキャストルータ２１に送信する。マルチキャストルータ２１は、参加要求Ｊｏｉｎ（ｃｈ１）を受信した後、要求された放送信号を端末装置１２へ送信する。これによって、端末装置１２によるｃｈ１の番組の視聴が可能になる。
【００１６】
さらに、端末装置１２においてｃｈ１の放送信号からｃｈ２の放送信号へ切替を行う場合について説明する。この場合、端末装置１２は、ｃｈ１の離脱要求信号Ｌｅａｖｅ（ｃｈ１）と、ｃｈ２の参加要求信号Ｊｏｉｎ（ｃｈ２）を、マルチキャストルータ２１に送信する。マルチキャストルータ２１は、ｃｈ１の離脱要求信号Ｌｅａｖｅ（ｃｈ１）を端末装置１２から受信すると、端末装置１２へのｃｈ１の放送信号の配信を停止する。また、マルチキャストルータ２１は、ｃｈ２の参加要求信号Ｊｏｉｎ（ｃｈ２）を端末装置１２から受信すると、ｃｈ２の放送信号の配信を開始する。そして、端末装置１２での選択されたｃｈ２の視聴が可能になる。
【００１７】
同様に、ｃｈ２の放送信号からｃｈ１の放送信号に切替を行う場合について説明する。この場合、端末装置１２は、ｃｈ２の離脱要求信号Ｌｅａｖｅ（ｃｈ２）と、ｃｈ１の参加要求信号Ｊｏｉｎ（ｃｈ１）を、マルチキャストルータ２１に送信する。離脱要求と参加要求を受信したマルチキャストルータ２１は、ｃｈ２の放送信号を停止し、選択されたｃｈ１の放送信号を端末装置１２に送信する。そして、端末装置１２での選択されたｃｈ１の視聴が可能になる。
【００１８】
このように、ＩＰマルチキャスト技術を放送チャンネルの切替に利用する方法は、マルチキャストルータ２１と端末装置１２間で制御信号のやりとりが多く発生する。さらに、マルチキャストルータ２１は通常複数の端末装置１２が接続されている場合が多いので、非常に負荷が大きくなると考えられる。従って、上述のＨＤＴＶ等の高符号化レートの放送信号を、ＩＰパケットを利用した形態で放送配信する場合は、スケーラビリティが上がらないという点も懸念される。
【非特許文献１】Ｋ．Ｋｉｋｕｓｈｉｍａ，Ｈ．Ｙｏｓｈｉｎａｇａ，Ｈ．Ｎａｋａｍｏｔｏ，Ｃ．Ｋｉｓｈｉｍｏｔｏ，Ｍ．Ｋａｗａｂｅ，Ｋ．Ｓｕｔｏ，Ｋ．Ｋｕｍｏｚａｋｉ  ａｎｄ  Ｎ．Ｓｈｉｂａｔａ，“Ａ  Ｓｕｐｅｒ  Ｗｉｄｅｂａｎｄ  Ｏｐｔｉｃａｌ  ＦＭ  Ｍｏｄｕｌａｔｉｏｎ  Ｓｃｈｅｍｅ  ｆｏｒ  ｖｉｄｅｏ  Ｔｒａｎｓｍｉｓｓｉｏｎ  Ｓｙｓｔｅｍｓ”，ＩＥＥＥ  Ｊ．Ｓｅｌｅｃｔｅｄ  Ａｒｅａｓ  ｉｎ  Ｃｏｍｍｕｎｉｃａｔｉｏｎ，Ｖｏｌ．１４，Ｎｏ．６，ｐｐ．１０６６−１０７５，１９９６．
【非特許文献２】Ｃ．Ｌｉｎ，Ｓ．０ｖａｄｉａ  ａｎｄ  Ｔ．Ａｎｄｅｒｓｏｎ，“Ｍｕｌｔｉｃｈａｎｎｅｌ  ＡＭ／ＱＡＭ  ｖｉｄｅｏ  ｌｉｇｈｔｗａｖｅ  ｓｙｓｔｅｍｓ  ｆｏｒ  ｈｙｂｒｉｄ−ｆｉｂｅｒ−ｃｏａｘ  ｄｉｓｔｒｉｂｕｔｉｏｎ  ｎｅｔｗｏｒｋｓ，ｉｎ  Ｐｒｏｃ．ＩＯＯＣ，Ｈｏｎｇ  Ｋｏｎｇ，１９９５．
【発明の開示】
【発明が解決しようとする課題】
【００１９】
以上のように、従来の光ファイバによる放送配信においては、各放送局に割り当てられたチャンネルに対して所望の帯域が保証された放送信号を配信するための手段は存在しなかった。そこで、本発明は、各チャンネルに対して所望の帯域を保証し、さらに、受信側からの受信要求も不要とした放送信号の配信を目的とする。
【課題を解決するための手段】
【００２０】
上記課題を解決するため、本発明は、光ファイバによる放送信号の配信において、放送局ごとに所定数のサブフレームを割り当て、該サブフレームを全放送局分多重化したフレーム構成とすることを特徴とする。各放送局の使用するチャンネルごとに割り当てるサブフレームの数を変えることにより、チャンネルごとに所望の帯域を保証することができる。よって、各チャンネルに対して所望の帯域を保証し、さらに、受信側からの受信要求も不要とした放送信号の配信が可能となる。
【００２１】
本発明に係る伝送フレームフォーマットは、
複数のチャンネルの放送信号を非同期のパケット網上に配信する伝送フレームフォーマットであって、
予め定められた容量の伝送フレームが周期的に繰り返され、
前記伝送フレームがチャンネルの数よりも多いサブフレームを備え、
チャンネルに割り当てられる前記サブフレームの数が可変であることを特徴とする。
１つの伝送フレームに各チャンネルの放送信号を所望の数だけ割り当てることで、各放送局の各チャンネルに対して所望の帯域を保証することができる。さらに、１つの伝送フレームに各チャンネルの放送信号が格納されているので、受信側からの受信要求が不要となる。さらに、各チャンネルの放送信号が格納された伝送フレームが周期的に繰り返されるので、放送信号を受信する端末装置側のバッファを少なくすることができる。
【００２２】
本発明に係る伝送フレームフォーマットでは、前記伝送フレームが、複数の固定長のサブフレームから構成されることが好ましい。サブフレームが固定長であることで、保証する帯域を変更することなくサブフレームの位置を変更することができる。これにより、チャンネルごとに保証する帯域の増減を容易に行うことができる。
【００２３】
本発明に係る伝送フレームフォーマットでは、
前記放送信号が、前記伝送フレーム中の予め定められたサブフレームに格納されることが好ましい。伝送フレームは周期的に繰り返されるので、予め定められたサブフレームに放送信号が格納されることで、放送信号のリアルタイムでの再構築が容易になる。
【００２４】
本発明に係る伝送方法は、
複数のチャンネルの放送信号を非同期のパケット網上に配信する伝送方法であって、
予め定められた容量の伝送フレームを周期的に繰り返し、
前記伝送フレームがチャンネルの数よりも多いサブフレームを備え、
チャンネルに割り当てられる前記サブフレームの数を可変とすることを特徴とする。
１つの伝送フレームに各チャンネルの放送信号を所望の数だけ割り当てることで、各放送局の各チャンネルに対して所望の帯域を保証することができる。さらに、１つの伝送フレームに各チャンネルの放送信号が格納されているので、受信側からの受信要求が不要となる。さらに、各チャンネルの放送信号が格納された伝送フレームが周期的に繰り返されるので、放送信号を受信する端末装置側のバッファを少なくすることができる。
【００２５】
本発明に係る伝送方法では、前記伝送フレームが、複数の固定長のサブフレームから構成されることが好ましい。サブフレームが固定長であることで、保証する帯域を変更することなくサブフレームの位置を変更することができる。これにより、チャンネルごとに保証する帯域の増減を容易に行うことができる。
【００２６】
本発明に係る伝送方法は、前記放送信号が、前記伝送フレーム中の決められたサブフレームに格納されることが好ましい。伝送フレームは周期的に繰り返されるので、予め定められたサブフレームに放送信号が格納されることで、放送信号のリアルタイムでの再構築が容易になる。
【００２７】
本発明に係る多重装置は、
予め定められた容量のサブフレームを生成するサブフレーム生成部と、
複数のチャンネルの放送信号を入力する放送信号入力部と、
前記チャンネルごとに予め定められた個数の前記サブフレームを予め定められた順序で割り当てるチャンネル情報テーブルを格納するテーブル記憶部と、
前記放送信号入力部に入力された放送信号を、前記サブフレーム生成部の生成したサブフレームに、前記チャンネル情報テーブルに従って格納するサブフレーム多重部と、を備えることを特徴とする。
１つの伝送フレームに各チャンネルの放送信号を所望の数だけ割り当てることで、各放送局の各チャンネルに対して所望の帯域を保証することができる。さらに、１つの伝送フレームに各チャンネルの放送信号が格納されているので、受信側からの受信要求が不要となる。さらに、各チャンネルの放送信号が格納された伝送フレームが周期的に繰り返されるので、放送信号を受信する端末装置側のバッファを少なくすることができる。
【００２８】
本発明に係る分離装置は、
複数のチャンネルの放送信号が時間多重された伝送フレームを分離する分離装置であって、
前記伝送フレームは、
予め定められた容量の複数のサブフレームが時間多重され、
前記チャンネルごとに予め定められた個数の前記サブフレームが予め定められた順序で割り当てられており、
前記チャンネルごとに予め定められた個数の前記サブフレームを予め定められた順序で割り当てるチャンネル情報テーブルを格納するテーブル記憶部と、
特定のチャンネルを指定する制御信号が入力される制御信号入力部と、
前記伝送フレームが入力される伝送フレーム入力部と、
前記伝送フレーム入力部に入力された伝送フレームのフレームフォーマットを解析するフレーム解析部と、
前記制御信号入力部に入力された制御信号で指定されたチャンネルのサブフレームに格納されている放送信号を、前記フレーム解析部の解析結果に従って読み出すサブフレーム読出制御部と、を備えることを特徴とする。
１つの伝送フレームに各チャンネルの放送信号を所望の数だけ割り当てることで、各放送局の各チャンネルに対して所望の帯域を保証することができる。さらに、１つの伝送フレームに各チャンネルの放送信号が格納されているので、受信側からの受信要求が不要となる。さらに、各チャンネルの放送信号が格納された伝送フレームが周期的に繰り返されるので、放送信号を受信する端末装置側のバッファを少なくすることができる。
【００２９】
本発明に係る分離装置では、
前記放送信号は、タイムスロット間隔を示すタイムスロット情報を含み、
前記サブフレーム読出制御部の読み出した放送信号を前記タイムスロット情報に従って再構成するタイムスロット再構成部をさらに備えることが好ましい。タイムスロット再構成部が正しいタイミングで放送信号を再構成するので、放送信号を生成する際のタイムラグを防ぐことができる。
【発明の効果】
【００３０】
本発明によれば、各放送局の各チャンネルに対して所望の帯域を保証することができる。さらに、受信側からの受信要求が不要となる。さらに、放送信号を受信する端末装置側のバッファを少なくすることができる。本発明によって、より高精細な映像や高音質な音声、より多くの情報を有するデータ放送をリアルタイムで実現することが可能となる。
【発明を実施するための最良の形態】
【００３１】
添付の図面を参照して本発明の実施の形態を説明する。以下に説明する実施の形態は本発明の構成の例であり、本発明は、以下の実施の形態に制限されるものではない。
【００３２】
（実施例形態１）
図１は、本実施形態に係る伝送フォーマットを配信するシステムの概略構成である。ＦＴＴＨ放送を利用して高精細映像の放送信号が多重装置１３から配信され、放送信号を視聴者宅の分離装置１４が受信する場合を示している。多重装置１３に、第１の放送局ｃｈ１の放送信号１００−１と、第２の放送局ｃｈ２の放送信号１００−２と、第Ｍ（Ｍは正の整数とする。）の放送局ｃｈＭの放送信号１００−Ｍと、が入力される。ここで、各放送局からの放送信号は、例えば、通常用いられるＴＳ（Ｔｒａｎｓｐｏｒｔ  Ｓｔｒｅａｍ）パケットである。そして、多重装置１３が、各放送局ｃｈ１、ｃｈ２、・・・ｃｈＭから送信されたすべての放送信号１００−１、１００−２、・・・１００−Ｍを多重化した伝送フォーマットのパケットを、予め定められた伝送フレームフォーマットの伝送フレーム１１０−１、１１０−２、・・・１１０−ｋで非同期のパケット網上に配信する。ここで、ｋは、１秒間に多重装置が配信する伝送フレームの数であり、正の整数である。分離装置１４は、視聴者から指定されたｃｈ２に割り当てられたサブフレームを多重装置の配信した伝送フレームからを分離する。以下、本実施形態では各放送局が１つのチャンネルを配信する例について説明するが、１つの放送局が複数のチャンネルの放送信号を配信してもよい。
【００３３】
本実施形態に係る伝送方法では、予め定められた容量の伝送フレーム１１０−１、１１０−２、・・・１１０−ｋを周期的に繰り返す。例えば、伝送フレーム１１０−２には、オーバーヘッド、ｃｈ１、ｃｈ２、ｃｈ３、・・・ｃｈＭが多重されている。さらに、伝送フレーム１１０−１、１１０−２、・・・１１０−ｋには、すべての放送局からの放送信号が時間的に多重されている。そして、伝送フレーム１１０−１、１１０−２、・・・１１０−ｋはそれぞれ、チャンネルの数Ｍよりも多い数のサブフレームを備え、ｃｈ２、・・・ｃｈＭのそれぞれに割り当てられるサブフレームの数がチャンネルごとに可変となっている。例えば、ｃｈ１には１つのサブフレーム、ｃｈ２には４つのサブフレーム、ｃｈ３には１つのサブフレーム、ｃｈＭには２つのサブフレームが割り当てられている。チャンネルごとに割り当てられるサブフレームの数は、伝送フレームによって可変とすることができる。放送局ごとに必要な帯域が変わっても、その放送局のチャンネルに割り当てるサブフレームの数を増減することで、必要な帯域を保証することができる。
【００３４】
図１では、視聴者はｃｈ２の放送信号を選択している。ｃｈ２は、伝送フレーム中では時間軸上に４つのサブフレームが割り当てられている。これは例えば、放送局１に比べて４倍の帯域を有していることを表す。いま、１秒間に配信される伝送フレームの数が２５００行、１つの伝送フレームあたりのサブフレームの数が３２８列であったとする。サブフレームは１５２２ｂｙｔｅ固定長のＭＡＣフレームであるとする。その場合、１秒間の伝送フレーム数ｋは２５００であり、４００μｓｅｃの繰り返しであるとすれば、一つのサブフレームには約３０Ｍｂｐｓの帯域が割り当てられていることになる。従って、放送局２では、４つ分のサブフレームを占有していることから、約１２０Ｍｂｐｓの帯域が周期的に割り当てられる。このような帯域の割当は回線契約時に決められることを想定している。１２０Ｍｂｐｓはこれまで述べてきた地上波デジタル放送やＢＳ／ＣＳデジタル放送の伝送帯域よりも大きいが、ここで想定した４００μｓｅｃ間隔で３２８列のサブフレームが繰り返される場合、１秒間の伝送容量は１０Ｇｂｉｔである。この伝送容量は実現可能な伝送容量であり、本実施形態において１０Ｇｂｐｓが念頭に置かれている。
【００３５】
このように時間軸上においてチャンネル毎に決められたサブフレームを割り当てることにより帯域の保証された放送信号を分離装置１４まで配信することが可能である。また、１つのチャンネルにサブフレームを複数割り当てることにより電波放送等、従来よりも広帯域な放送信号を配信可能であり、全伝送容量が実現可能な１０Ｇｂｐｓとする場合、最小の一放送局当たりの保証伝送帯域を３０Ｍｂｐｓとすれば３２８放送局分のチャネルを実現できる。これはＦＭ一括変換方式による既存ＲＦ放送再配信の情報レートである合計約３Ｇｂｐｓに比べて３倍以上の帯域及びチャネル数が取れることを意味している。
【００３６】
本実施形態に係る伝送フレーム伝送方法では、伝送フレーム１１０−１、１１０−２、・・・１１０−ｋが、それぞれ、複数の固定長のサブフレームから構成されることが好ましい。例えば、ｃｈ１、・・・ｃｈＭの割り当てられている１つあたりのサブフレームの容量が一定であることが好ましい。各サブフレームが固定長であれば、保証する帯域を変更することなくサブフレームのタイムスロットを移動させることができる。このためチャンネルに割り当てるサブフレームの増減が容易になる。１つのチャンネルのサブフレームを連続させることで、配信先の視聴者宅で行う放送信号の再構築の処理工程数を少なくすることができる。
【００３７】
本実施形態に係る伝送フレーム伝送方法では、各チャンネルの放送信号が、伝送フレーム中の予め定められたサブフレームに格納されることが好ましい。例えば、ｃｈ１、ｃｈ２、ｃｈ３、・・・ｃｈＭの各サブフレームのタイムスロットが予め定められていることが好ましい。例えば、伝送フレーム１１０−１、１１０−２、・・・１１０−ｋのいずれにおいても、ｃｈ１の放送信号が第１のサブフレーム、ｃｈ２の放送信号が第２から第５のサブフレーム、ｃｈＭの放送信号が第（Ｎ−１）から第Ｎのサブフレームに格納される。伝送フレーム１１０−１、１１０−２、・・・１１０−ｋは周期的に繰り返されるので、予め定められたサブフレームに放送信号が格納されることで、放送信号のリアルタイムでの再構築が容易になる。
【００３８】
（実施形態２）
図２は、本実施形態に係る伝送フォーマットを配信するシステムの概略構成である。アクセス網として通常適用されているＰＯＮ（Ｐａｓｓｉｖｅ  Ｏｐｔｉｃａｌ  Ｎｅｔｗｏｒｋ）において、本実施形態の伝送フレームにより放送信号の配信を行った場合の模式図を示す。各放送局ｃｈ１、ｃｈ２、・・・ｃｈＭからの放送信号はヘッドエンド２３の多重装置１３において多重される。多重装置１３は、各放送局ｃｈ１、ｃｈ２、・・・ｃｈＭの放送信号を時間的に多重した本実施形態の伝送フレーム１１０−１、１１０−２、・・・１１０−ｋを配信する。多重化された放送信号は中継網を介して収容局２４ａ及び収容局２４ｂへ配信される。このとき伝送フレーム１１０−１、１１０−２、・・・１１０−ｋは網内で情報が置き換わることなく、通常の放送配信形態のように全ての収容局２４ａ、２４ｂに全く同じものが伝送される。収容局２４ａ及び２４ｂから加入者宅の終端装置２６までのアクセス区間では、単なる光スプリッタによるパッシブな分岐であるため各終端装置２６まで全ての放送信号が等価的に配信される。例えば、各終端装置２６は、各放送局のｃｈ１からｃｈＭまでの放送信号が多重された伝送フレーム１１０−２を受信する。そして、終端装置２６の後段に分離装置１４が設置されており、分離装置１４にチャンネル選択のための制御信号が入力されると、分離装置１４は入力されたチャンネルを分離する。本実施形態では、前述のＩＰパケット方式による配信と異なり、マルチキャストルータによるチャネル選択ではないため、スケーラビリティもあるという特徴も有している。
【００３９】
図３は、本実施形態に係る伝送フレームフォーマットを模式的に表したものである。本実施形態に係る伝送フレームフォーマットは、予め定められた容量の伝送フレームが周期的に繰り返される。例えば、図１に示した１からｋ（ｋは正の整数とする。）までのｋ個の伝送フレーム１１０−１〜１１０−ｋが一定時間内に繰り返される。図３では、説明の都合上、ｋ行として示した。各行の伝送フレームは予め定められた容量を有している。例えば、放送信号がＴＳパケットの場合、放送信号は物理速度２７０ＭｂｐｓのＤＶＢ−ＡＳＩ（Ｄｉｇｉｔａｌ  Ｖｉｄｅｏ  Ｂｒｏａｄｃａｓｔｉｎｇ−Ａｓｙｎｃｈｒｏｎｏｕｓ  Ｓｅｒｉａｌ  Ｉｎｔｅｒｆａｃｅ）信号として伝送される。この場合、物理速度２７０Ｍｂｐｓをｋ等分した容量の伝送フレームが周期的に繰り返される。たとえば、１行目の伝送フレーム、２行目の伝送フレーム、３行目の伝送フレーム、・・・ｋ行目の伝送フレームが時間的に多重される。
【００４０】
１行からｋ行の各伝送フレームはさらに小さなサブフレームから構成される。このサブフレームは時間的に多重され、Ｎ個のサブフレームが集まり一つの伝送フレームが構成される。例えば、１行目のＮ個のサブフレーム１−１、１−２、１−３・・・１−Ｎが時間多重されて１行目の伝送フレームを構成する。同様に、ｋ行目のＮ個のサブフレームｋ−１、ｋ−２、ｋ−３・・・ｋ−Ｎが時間多重されてｋ行目の伝送フレームを構成する。
【００４１】
本実施形態の例においては、サブフレームをイーサネット（登録商標）で使用される固定長のＭＡＣ（Ｍｅｄｉａ  Ａｃｃｅｓｓ  Ｃｏｎｔｒｏｌ）フレームを想定しているが、必ずしもＭＡＣフレームに限らなくてもよく、固定長であれば実現できる。さらに本実施形態の伝送フレームは通常のレイヤー２（Ｌ２）パケット網上に構築できる。特にＭＡＣフレームにてサブフレームを構築する場合においては、通常のイーサネット（登録商標）により構成された網をトランスペアレントに透過することが可能である。
【００４２】
本実施形態に係る伝送フレームフォーマットでは、１行あたりの伝送フレームがチャンネルの数よりも多いサブフレームを備える。例えば、サブフレーム１−１〜ｋ−Ｎは放送局毎に異なるサブフレームが割り当てられる。従って、放送局からの放送信号は決められたタイムスロットに割り当てられることになる。これにより時間軸上で放送局の放送信号の帯域保証が実現される。
【００４３】
また、本実施形態に係る伝送フレームフォーマットでは、チャンネルに割り当てられるサブフレームの数が可変である。例えば、１行目の伝送フレームではｃｈ１のサブフレームの割り当て数を１個とし、１行目の伝送フレームではｃｈ１のサブフレームの割り当て数を２個とすることができる。チャンネルごとに、割り当てるサブフレームの数を変えることにより、サブフレームの個数に応じた所望の帯域を保証することができる。
【００４４】
本実施形態に係る伝送フレームフォーマットでは、１行あたりの伝送フレームが、複数の固定長のサブフレームから構成されることが好ましい。例えば、１−１から１−ＮまでのＮ個のサブフレームの容量それぞれが等しいことが好ましい。さらに伝送フレーム間においても各サブフレームを固定長とすることが好ましい。サブフレームが固定長であることで、タイムスロットの移動が容易になり、各チャンネルの保証帯域の増減が容易になる。
【００４５】
本実施形態に係る伝送フレームフォーマットでは、各チャンネルの放送信号が、１行あたりの伝送フレーム中の決められたサブフレームに格納されることが好ましい。例えば、１行目からｋ行目までの各伝送フレームにおいて、ｃｈ１の放送信号が２列目のサブフレームに格納され、ｃｈ２の放送信号が３列目及び４列目のサブフレームに格納されることが好ましい。チャンネルごとに決められたタイムスロットに格納されるので、チャンネルごとの放送信号の分離処理が簡便になる。
【００４６】
本実施形態に係る伝送フレームフォーマットでは、１行からｋ行の各伝送フレームにフレーム同期信号があることが好ましい。例えば、伝送フレームの１列目のサブフレーム１−１、２−１、・・・ｋ−１にフレーム同期信号が格納されることが好ましい。この場合、例えばサブフレーム１−１は、１行目のサブフレーム１−２〜１−Ｎのどのサブフレームにどのチャンネルの信号が格納されているかを示すテーブルや監視情報を格納したオーバーヘッド（ＯＨ）であることが好ましい。
【００４７】
図４は、伝送フレームに多重化されたサブフレームの一例である。図１で説明した各放送局ｃｈ１、ｃｈ２、ｃｈ３、・・・ｃｈＭからの放送信号が本実施形態に係る伝送フレームに多重化される手法を示している。各伝送フレームの初めのサブフレームには、オーバーヘッドが格納されている。すなわち、各伝送フレームの初めのタイムスロット１０２には、オーバーヘッドが割り当てられている。各チャンネルの放送信号は伝送フレームの決められた場所であるタイムスロットにチャンネル毎に格納される。例えば、各伝送フレームの２列目のサブフレームが割り当てられているタイムスロット１０３−１にはｃｈ１の放送信号が格納される。各伝送フレームの３列目及び４列目のサブフレームが割り当てられているタイムスロット１０３−２にはｃｈ２の放送信号が格納される。各伝送フレームの５列目のサブフレームが割り当てられているタイムスロット１０３−３にはｃｈ３の放送信号が格納される。割り当てられたタイムスロット位置には他の放送局の信号が配置されることはないことが好ましい。またそのタイムスロットに格納されるべき放送局の信号がなくても、そのタイムスロットは他の放送局の信号で置き換わることはないことが好ましい。
【００４８】
１行目からｋ行目までの伝送フレームが周期的に繰り返す。これにより、サブフレーム１−１、２−１、３−１、・・・ｋ−１が周期的に繰り返されるタイムスロット１０３−１とみなすことができる。他のタイムスロットについても同様である。ここで、サブフレーム１−２、２−２、３−２、・・・ｋ−２は、同一伝送フレーム内に複数のサブフレームを割り当てられている。固定長のサブフレームを２個分使用しているため、ｃｈ１及びｃｈ３の２倍の帯域を保証することができる。サブフレームを複数割り当てることで、より大きな符号化レートの放送信号を配信することができる。すなわち、一つのタイムスロットの割当で実現可能な情報レートが３０Ｍｂｐｓとした場合、図４のｃｈ２では２個のサブフレームを割り当てられているため６０Ｍｂｐｓの固定の情報レートでの配信が保証されることとなる。従って、より高品質な放送信号を配信したい場合、割り当てられるタイムスロットを配信したい信号のレートに見合う分だけのサブフレームを複数個取得することにより実現可能となる。
【００４９】
図５は、本実施形態に係る多重装置の一例を示す構成図である。本実施形態に係る多重装置１３は、放送配信用の伝送フレームの多重処理を行う。複数の放送信号入力部３１と、サブフレーム生成部３４と、テーブル記憶部３６と、サブフレーム多重部３８と、を備える。本実施形態では、多重装置１３がさらに複数のタイムスロット（ＴＳ）格納処理部３２と、複数のＬ２処理部３３と、サブフレーム抽出部３５と、スケジューラ３７と、オーバーヘッド（ＯＨ）挿入部３９と、Ｌ２処理部４０と、信号出力部４１と、を備える例について説明する。また、本実施形態では、サブフレーム多重部３８と、サブフレーム抽出部３５と、スケジューラ３７と、ＯＨ挿入部３９と、によって多重部２７が構成されている。本実施形態では、チャンネルと同数の放送信号入力部３１〜３１−Ｍ、ＴＳ格納処理部３２及びＬ２処理部３３を備える例について説明するが、各放送局で共通としてもよい。また、
【００５０】
放送信号入力部３１−１〜３１−Ｍは、複数のチャンネルの放送信号を入力する。例えば、Ｍ個のチャンネルの放送信号を配信する場合、Ｍ個の各放送信号入力部３１−１〜３１−Ｍに、それぞれ放送局から送信された送信信号が入力される。たとえば、放送信号入力部３１−１に放送局ｃｈ１からの放送信号が、放送信号入力部３１−２に放送局ｃｈ２からの放送信号が、随時入力される。各放送信号入力部３１−１〜３１−Ｍに入力された放送信号が時間的に多重されて伝送フレームを構成することになる。
【００５１】
ＴＳ格納処理部３２は、放送信号入力部３１に入力された放送信号をＭＡＣパケットに格納する。放送信号がＴＳ（Ｔｒａｎｓｐｏｒｔ  Ｓｔｒｅａｍ  Ｐａｃｋｅｔ）パケットである場合、ＴＳ格納処理部３２は、ＴＳパケットからＭＡＣパケットヘの格納処理を行う。格納処理は、本実施形態に係る多重装置のクロック３０を参照して行われる。ＴＳパケットのＭＡＣパケットヘの格納処理は、本実施形態に係る多重装置のクロックを参照できれば多重装置の内部にあっても外部にあってもよい。多重装置の外部の場合はＬ２処理部３３の前段に放送信号入力部３１が配置される。
【００５２】
Ｌ２処理部３３は、データリンク層のデータでパケットの行き先を判断して転送を行う。ＴＳ格納処理部３２がＭＡＣパケットヘの格納処理を行う場合であれば、Ｌ２処理部３３はＭＡＣ処理を行う。Ｌ２処理部３３は、ＭＡＣ処理を行ったＭＡＣパケットをサブフレーム多重部３８に出力する。このとき、Ｌ２処理部３３は、チャンネル番号に応じた放送局ＩＤ番号を併せて記述する。
【００５３】
サブフレーム生成部３４は、予め定められた容量のサブフレームを生成する。予め定められた容量は、一定の容量すなわち固定長であってもよいし、サブフレームごとに異なってもよい。また、伝送フレーム間で異なってもよい。本実施形態の伝送フレームを構成するサブフレームの間隔がほとんど等しい、サブフレームのトレインを生成することが好ましい。サブフレームをＭＡＣとする場合、固定長のＭＡＣパケットを生成することになる。またサブフレームにはシーケンス番号が付与されていることが好ましい。また、１０Ｇｂｐｓの伝送容量を有する場合、サブフレーム生成部３４は１０Ｇｂｐｓの速度を持ったサブフレームのトレインを生成する。
【００５４】
サブフレーム抽出部３５は、サブフレーム生成部３４の生成した複数のサブフレームから、個々のサブフレームを抽出する。ここで伝送フレームを構成するサブフレームにはシーケンス番号が付与されていて、それを基にサブフレームトレインのどのサブフレーム、例えばタイムスロット位置に、どの放送局からの放送信号を格納するかについて判断される。
【００５５】
テーブル記憶部３６は、チャンネルごとに予め定められた個数のサブフレームを予め定められた順序で割り当てるチャンネル情報テーブルを格納する。例えば、伝送フレームを構成するサブフレームにはシーケンス番号が付与されており、シーケンス番号を基にサブフレームトレインのどのサブフレーム、例えばタイムスロット位置、にどの放送信号入力部３１−１〜３１−Ｍからの放送信号を格納するかについての情報がチャンネル情報テーブルに格納される。
【００５６】
スケジューラ３７は、放送信号の多重時におけるスケジュールを司る。例えば、スケジューラ３７は、テーブル記憶部３６の記憶するチャンネル情報テーブルを参照し、サブフレームに付与されたシーケンス番号に対応したチャンネルの放送信号を、サブフレームに格納するかをサブフレーム多重部３８に指示する。
【００５７】
サブフレーム多重部３８は、放送信号入力部３１に入力された放送信号を、サブフレーム生成部３４の生成したサブフレームに、テーブル記憶部３６の記憶するチャンネル情報テーブルに従って格納する。本実施形態では、多重装置１３がＬ２処理部３３及びスケジューラ３７を備えるので、サブフレーム多重部３８は、各チャンネルのＬ２処理部３３から入力された放送信号を、スケジューラ３７の指示に従って、各チャンネルの放送信号をタイムスロットに格納する。チャンネルごとに、割り当てるサブフレームの数を変えることにより、サブフレームの数に応じた帯域を保証することができる。
【００５８】
ＯＨ挿入部３９は、オーバーヘッド情報を伝送フレームごとに付与する。オーバーヘッド情報は、例えば、放送信号の格納されているサブフレームについての情報である。これによって図４で説明した伝送フレームが構成される。
【００５９】
Ｌ２処理部４０は、データリンク層のデータでパケットの行き先を判断して転送を行う。例えばＭＡＣ処理を行う。Ｌ２処理部４０は、信号出力部４１へ本実施形態に係る伝送フレームを出力する。信号出力部４１は、非同期のパケット網上に本実施形態に係る伝送フレームを視聴者へ配信する。ここで、本実施形態では、図３及び図４にて説明したように、複数の伝送フレームが時間多重されて配信される。
【００６０】
図６は、本実施形態に係る分離装置の一例を示す構成図である。本実施形態に係る分離装置１４は、複数のチャンネルの放送信号が時間多重された伝送フレームを分離する。分離装置１４は、制御信号入力部４２と、伝送フレーム入力部５１と、フレーム解析部４４と、サブフレーム読出制御部４７と、を備える。分離装置１４が、さらに、Ｌ２処理部５２と、認証処理部４３と、サブフレーム蓄積制御部４５と、サブフレームバッファ４８と、カウンタ４６と、ＴＳ再構成部４９と、タイミング処理部５０と、信号出力部５３と、を備える例について説明する。
【００６１】
伝送フレーム入力部５１は、本実施形態に係る伝送フレームが入力される。伝送フレーム入力部５１に入力された時間多重された複数の伝送フレームは、Ｌ２処理部５２によってデータリンク層のデータでパケットの行き先を判断される。伝送フレームがＭＡＣフレームで構成されている場合、Ｌ２処理部５２はＭＡＣ処理を行う。Ｌ２処理行った後、分離部２８でフレームの解析、すなわち、どのサブフレームにどの放送局の信号が多重されているかの解析を行う。
【００６２】
フレーム解析部４４は、伝送フレーム入力部５１に入力された伝送フレームのフレームフォーマットを解析する。例えば、テーブル記憶部３６に記憶されているチャンネル情報テーブルを参照し、チャンネルごとにどのサブフレームに格納されているかを解析する。そして、制御信号入力部４２に入力されたチャンネルの格納されているサブフレーム又はタイムスロットを特定する。視聴者からのチャンネル選択のための制御信号が認証処理の後、フレーム解析部４４に送られ、放送信号の分離のための情報として与えられる。
【００６３】
テーブル記憶部３６は、チャンネルごとに予め定められた個数のサブフレームを予め定められた順序で割り当てるチャンネル情報テーブルを格納する。チャンネル情報テーブルを参照することで、図４に示すサブフレームの列番号と、その列番号に割り当てられているチャンネル番号を取得する。例えば、３列目と４列目のサブフレームには、ｃｈ２が割り当てられている旨を取得する。
【００６４】
ここで、チャンネル情報テーブルは、選択ｃｈと放送局ＩＤの対応がなされた情報テーブルであってもよい。この場合、制御信号入力部４２に入力された制御信号によって指定されたチャンネル選択情報は放送局ＩＤとして変換される。従って、この場合はフレーム解析部４４では放送局ＩＤがどのサブフレームかを解析する。
【００６５】
制御信号入力部４２は、特定のチャンネルを指定する制御信号が入力される。制御信号は、視聴者からのチャンネル選択のための信号である。本実施形態に係る分離装置１４では、制御信号の認証を行う認証処理部４３をさらに備えることが好ましい。この場合、制御信号入力部４２から入力された制御信号が、登録された正規の視聴者からのものであるのか認証する。認証においては、パスワード、ＩＣカード又はバイオメトリクス情報を用いることができる。
【００６６】
サブフレーム読出制御２８は、制御信号入力部４２に入力された制御信号で指定されたチャンネルのサブフレームに格納されている放送信号を、フレーム解析部４４の解析結果に従って読み出す。例えば、制御信号によってｃｈ２が指定された場合、チャンネル情報テーブルを参照し、図４に示す３列目と４列目のサブフレームに格納されている放送信号を読み出す。
【００６７】
サブフレーム蓄積制御部４５は、選択されたチャンネルの放送信号の格納されたサブフレームを、フレーム解析部４４の解析処理の結果に基づき分離する。そして、サブフレーム蓄積制御部４５は、読み出したサブフレームに格納されている放送信号をサブフレームバッファ４８へ書き出す。サブフレームバッファ４８は、サブフレーム蓄積制御部４５の分離したサブフレームに格納されている放送信号を蓄積する。その際、伝送フレームの周期、例えば図１で説明した４００μｓｅｃ間隔、でサブフレームが到達するため、伝送フレームの周期をカウンタ４６でカウントする。そして、サブフレーム読出制御部４７がカウンタ４６のカウントを基にサブフレームバッファ４８からサブフレームに格納されている放送信号を読み出す。
【００６８】
分離装置１４は、放送信号は、放送信号内でのタイムスロット間隔を示すタイムスロット情報を含むことが好ましい。例えば、タイムスロット情報をサブフレームのヘッダに格納する。この場合、分離装置１４は、タイムスロット再構成部４９を備えることが好ましい。タイムスロット再構成部４９は、サブフレーム読出制御部４７の読み出した放送信号を、タイムスロット情報に従って各タイムスロットに割り当てる。これによって、放送局から送出されたＴＳパケット列に再構成することができる。その時、タイミング処理部５０において、ＴＳパケットの間隔のタイミング調整が行われ、そのタイミングで生成される。そして最終的に信号出力部５３へ送られる。信号出力部５３は、送出されたＴＳパケット信号を出力する。
【００６９】
以上説明したように、本実施形態による非同期網であるパケット網において、柔軟なフレームフォーマットを有し、かつ周期的に繰り返される伝送フレームを使用することにより、従来の電波放送では配信不可能な高精細な映像信号を放送することが可能となる。
【産業上の利用可能性】
【００７０】
ＦＴＴＨ（Ｆｉｂｅｒ−Ｔｏ−Ｔｈｅ−Ｈｏｍｅ）により放送信号を配信する放送産業に利用することができる。
【図面の簡単な説明】
【００７１】
【図１】実施形態１に係る伝送フォーマットを配信するシステムの概略構成である。
【図２】実施形態２に係る伝送フォーマットを配信するシステムの概略構成である。
【図３】本実施形態に係る伝送フレームフォーマットを模式的に表したものである。
【図４】伝送フレームに多重化されたサブフレームの一例である。
【図５】本実施形態に係る多重装置の一例を示す構成図である。
【図６】本実施形態に係る分離装置の一例を示す構成図である。
【図７】従来の放送信号の一例を示す模式図であり、（ａ）は地上波デジタル放送における周波数の配置を示し、（ｂ）は一般送波における帯域波を示す。
【図８】従来のＩＰ放送による配信形態を示す概略構成図である。
【図９】ＩＰを利用した放送配信を受信するときの流れの一例である。
【符号の説明】
【００７２】
１０  ネットワーク
１１ａ、１１ｂ、１１ｃ  配信サーバ
１２  端末装置
１３  多重装置
１４  分離装置
２１、２１ａ、２１ｂ  マルチキャストルータ
２２  受信機
２３  ヘッドエンド
２４ａ、２４ｂ  収容局
２５ａ、２５ｂ  伝送装置
２６  終端装置
２７  多重部
２８  分離部
３０  クロック
３１−１、３１−２、３１−３  放送信号入力部
３２  ＴＳ格納処理部
３３  Ｌ２処理部
３４  サブフレーム生成部
３５  サブフレーム抽出部
３６  局情報テーブル
３７  スケジュール
３８  サブフレーム多重部
３９  ＯＨ情報挿入部
４０  Ｌ２処理部
４１  信号出力部
４２  制御信号入力部
４３  認証処理部
４４  フレーム解析部
４５  サブフレーム蓄積制御部
４６  カウンタ
４７  サブフレーム読出制御部
４８  サブフレームバッファ
４９  ＴＳ再構成部
５０  タイミング処理部
５１  伝送フレーム入力部
５２  Ｌ２処理部
５３  信号出力部
１００−１、１００−２、１００−ｍ  放送信号
１０１−１、１０１−２、１０１−３、１０１−４、１０１−５、１０１−６、１０１−７  パケット
１０２、１０３−１、１０３−２、１０３−３、１０１−Ｎ  タイムスロット
１１０−１、１１０−２、１１０−ｋ  伝送フレーム
【図１】
2009071705.tif 000003
【図２】
2009071705.tif 000004
【図３】
2009071705.tif 000005
【図４】
2009071705.tif 000006
【図５】
2009071705.tif 000007
【図６】
2009071705.tif 000008
【図７】
2009071705.tif 000009
【図８】
2009071705.tif 000010
【図９】
2009071705.tif 000011